(57)【特許請求の範囲】
【請求項１】
肌当接面を構成する表面シート、非肌当接面を構成する裏面シート、及びこれら両シート間に配置され且つ親水性繊維を主として含む上層吸収体と吸水性ポリマーを含む下層吸収体との２層を含んで構成される縦長の吸収構造体を具備し、着用者の腹側に配される腹側部及び背側に配される背側部を長手方向に有している吸収性物品であって、
前記上層吸収体は、前記親水性繊維としてパルプ繊維を７０質量％以上含んでおり、前記下層吸収体における前記吸水性ポリマーの分布量は１０〜３００ｇ／ｍ2であり、
前記上層吸収体が実質的に存在しておらず且つ周辺部よりも厚み方向に凹んだ凹部が、前記吸収性物品を長手方向に二分する仮想中央線よりも前記腹側部側における前記吸収構造体の配置領域の前記肌当接面に、該仮想中央線を跨いで形成されており、該凹部は、男性器の陰茎及び陰嚢の両部分を収容可能な大きさを有しており、
前記凹部の周縁の外側近傍に、伸長状態の弾性部材が、該凹部を包囲するように平面視で実質的に環を描いて配されており、
前記弾性部材は、前記裏面シートと前記吸収構造体との間に配され、該弾性部材と前記凹部の周縁との間の平面視における間隔は１５〜３５ｍｍであり、
前記弾性部材が、該弾性部材によって形成されている前記環における、前記仮想中央線よりも前記背側部側に位置する一点を起点として、平面視で前記吸収構造体の前記腹側部側の長手方向端縁に向かって凸となるように実質的に弧を描いて延びている吸収性物品。
【請求項２】
前記上層吸収体が実質的に存在しておらず且つ周辺部よりも厚み方向に凹んだ第２の凹部が、前記仮想中央線よりも前記背側部側における前記吸収構造体の配置領域の前記肌当接面で、前記弾性部材によって形成されている前記弧の内側近傍に形成されている請求項１記載の吸収性物品。
【発明の詳細な説明】
【技術分野】
【０００１】
本発明は、男性用の使い捨ておむつや尿とりパッド等の吸収性物品に関する。
【背景技術】
【０００２】
肌当接面を構成する表面シート、非肌当接面を構成する裏面シート、及びこれら両シート間に配置される縦長の吸収体を具備し、着用者の腹側に配される腹側部及び背側に配される背側部を長手方向に有している吸収性物品は公知である。このような吸収性物品は、例えば特許文献１〜３に記載されている。
【０００３】
特許文献１には、男性用のパンツ型の使い捨ておむつが記載されている。この使い捨ておむつにおいては、互いに並行して縦方向へ延びる第１伸縮性弾性部材が、吸液性部材（吸収体）の胴周り方向の寸法を二分する縦中心線と該吸液性部材の両側縁との間に配置され、表面シート及び裏面シートと前記吸液性部材とのうちの少なくとも該吸収性部材に伸長状態で取り付けられ、前記吸収性部材の前記第１弾性部材の間に延びる領域が、該第１弾性部材の収縮によって肌非当接側へ向かって凸型に変形し、この変形領域がペニス収容部を形成する。
【０００４】
また、特許文献２には、長手方向左右両側部に立体ガード弾性部材を有する一対の立体ガードを具備する吸収性物品において、該立体ガード弾性部材が、その長手方向の中間部分が、吸収体の裏面側に位置するように配されている吸収性物品が記載されている。
【０００５】
また、特許文献３には、腹側部と股下部との間に位置する股下部の股間部に、吸液性コア（吸収体）を介在させず表面シートと裏面シートとからなる凹陥領域と、該凹陥領域の周縁の内側近傍にて表面シートと裏面シートの間に設けられ該周縁の形状に沿って該凹陥領域を囲周する凹陥領域弾性体とを有する使い捨ておむつが記載されている。この使い捨ておむつは、前記凹陥領域に、別途用意した吸液性パッドを嵌め込んで使用する。
【０００６】
しかし、特許文献１及び２に記載の吸収性物品は、前記弾性部材によって包囲されている領域が、他の領域に比して厚みが薄くなっていないため、該領域に、男性器の陰茎及び陰嚢の両部分を収容可能な大きさを有する凹部が形成され難い。このため、特許文献１及び２に記載の吸収性物品は、着用時に着用者のペニスが吸収性物品の内部で自由に動いてしまい、ペニスの位置によっては排泄された尿が、レッグ開口部等から肌を伝って外部に漏れ出すおそれがある。
また、特許文献１及び２に記載の吸収性物品は、着用者の男性器の収容領域に、吸収体の構成部材であるパルプ繊維が多量に配されているため、該収容領域において、吸収体に一旦吸収された液が表面シート側に戻る、いわゆる液戻りが発生するおそれがあり、これにより、肌がかぶれるおそれがある。
また、特許文献３に記載の吸収性物品は、前記凹陥領域の周縁の内側近傍に配された前記凹陥領域弾性体によって、別体の吸液性パッドを安定保持するようになされたものであり、着用者の男性器の保持性や肌のかぶれ等については特に考慮されていない。
【０００７】
【特許文献１】特開２００３−３８５５４号公報
【特許文献２】特開２０００−３００６０４号公報
【特許文献３】特開２００３−１１６９１０号公報
【発明の開示】
【発明が解決しようとする課題】
【０００８】
従って本発明の目的は、着用時に男性器を所定領域に保持することができ、漏れや肌のかぶれを生じ難い吸収性物品を提供することにある。
【課題を解決するための手段】
【０００９】
本発明は、肌当接面を構成する表面シート、非肌当接面を構成する裏面シート、及びこれら両シート間に配置され且つ親水性繊維を主として含む上層吸収体と吸水性ポリマーを含む下層吸収体との２層を含んで構成される縦長の吸収構造体を具備し、着用者の腹側に配される腹側部及び背側に配される背側部を長手方向に有している吸収性物品であって、前記上層吸収体が実質的に存在しておらず且つ周辺部よりも厚み方向に凹んだ凹部が、前記吸収性物品を長手方向に二分する仮想中央線よりも前記腹側部側における前記吸収構造体の配置領域の前記肌当接面に、該仮想中央線を跨いで形成されており、該凹部は、男性器の陰茎及び陰嚢の両部分を収容可能な大きさを有しており、前記凹部の周縁の外側近傍に、伸長状態の弾性部材が、該凹部を包囲するように平面視で実質的に環を描いて配されている吸収性物品を提供することにより、前記目的を達成したものである。
【発明の効果】
【００１０】
本発明によれば、着用時に男性器を所定領域に保持することができ、着用時に着用者の陰茎が吸収性物品の内部で自由に動くことがなく、また、排泄された液が吸水性ポリマーを含む下層吸収体によってすばやく吸収されるため、液が着用者側へ戻ることを防ぐことが可能であり、排泄された液が着用者の肌を伝って外部に漏れるおそれがなく、肌のかぶれを生じ難い。
【発明を実施するための最良の形態】
【００１１】
以下、本発明の吸収性物品を、その好ましい一実施形態である使い捨ておむつに基づき図面を参照しながら説明する。
第１実施形態の使い捨ておむつ１は、図１及び図２に示すように、肌当接面を構成する液透過性の表面シート２、非肌当接面を構成する液不透過性ないし撥水性（以下、これらを総称して液不透過性という）の裏面シート３、及びこれら両シート２，３間に配置され且つ上層吸収体４１と下層吸収体４２との２層を含んで構成される縦長の吸収構造体４を具備している展開型の使い捨ておむつである。
尚、本明細書において、肌当接面は、おむつ着用時に着用者の肌側に向けられる面であり、非肌当接面は、おむつ着用時に下着側（着用者の肌側とは反対側）に向けられる面である。
【００１２】
第１実施形態のおむつ１は、図１に示すように、実質的に縦長に形成されており、着用者の腹側に配される腹側部Ａ及び背側に配される背側部Ｂを長手方向に有している。腹側部Ａと背側部Ｂとの間（おむつ１の長手方向中央部）は、着用時に着用者の股下に位置する股下部Ｃとなっている。腹側部Ａ、股下部Ｃ及び背側部Ｂは、おむつ１を長手方向に沿って三分割した各々の領域をさす（図１参照）。尚、本明細書において単に「腹側」、「背側」と言った場合は着用者の腹側、背側に位置することを指し、腹側部Ａ、背側部Ｂに限定される意味ではない。
尚、本明細書において、長手方向は、特に断らない限り、縦長の吸収構造体４（おむつ１）の長辺に沿う方向であり、幅方向は、該長手方向と直交する方向である。
【００１３】
第１実施形態のおむつ１は、股下部Ｃの長手方向両側縁が円弧状に湾曲しており、全体として平面視で長手方向中央部が内方に括れた砂時計状の形状となっている。表面シート２及び裏面シート３は、平面視でおむつ１の外形形状に一致する砂時計状の外形を有している。吸収構造体４は、平面視で矩形形状の外形を有しており、その長手方向をおむつ１の長手方向に一致させて該おむつ１の幅方向中央部に配されている。表面シート２及び裏面シート３は、それぞれ、吸収構造体４の長手方向及び幅方向両端縁それぞれから外方に延出しており、それらの延出部において互いに接着剤やヒートシール等の所定の接合手段により接合されている。表面シート２と吸収構造体４との間、及び吸収構造体４と裏面シート３との間は、何れもホットメルト粘着剤等の接合手段により接合されている。
【００１４】
第１実施形態における吸収構造体４は、上層吸収体４１及び下層吸収体４２に加えて、これら両吸収体４１，４２の積層体の略全体を被覆する液透過性の被覆シート４３を含んでいる。被覆シート４３は、不織布や紙、ティッシュペーパー等からなる。被覆シート４３と吸収体４１及び４２それぞれとの間は、所定部位においてホットメルト粘着剤等の接合手段により接合されていても良い。
上層吸収体４１は表面シート２寄りに、下層吸収体４２は裏面シート３寄りに、それぞれ位置しており、両吸収体４１，４２は何れも液保持性を有している。
【００１５】
上層吸収体４１は、親水性繊維としてのパルプ繊維を主として含んでいる。「親水性繊維を主として含む上層吸収体」とは、上層吸収体４１中に親水性繊維が該上層吸収体４１の全質量の７０質量％以上含まれることを意味する。上層吸収体４１中における親水性繊維の含有量は、好ましくは９０質量％以上、更に好ましくは１００質量％であり、上層吸収体４１は親水性繊維のみで構成されていることが最も好ましい。
上層吸収体４１の無荷重下における厚みは、好ましくは１〜２０ｍｍ、更に好ましくは５〜１５ｍｍである。
上層吸収体４１の坪量は、好ましくは５０〜３００ｇ／ｍ2、更に好ましくは８０〜２５０ｇ／ｍ2である。
【００１６】
上層吸収体４１に主材料として含まれる親水性繊維としては、パルプ繊維や、その他種々の親水性を有し且つ尿を吸収できる繊維状物を特に制限無く用いることができる。また、上層吸収体４１は、親水性繊維に加えて吸水性ポリマーを含んでいても良い。上層吸収体４１を構成する吸水性ポリマーとしては、この種の吸収性物品において通常用いられているものを特に制限無く用いることができる。
【００１７】
下層吸収体４２は、上層吸収体４１と同様に平面視で矩形形状の外形を有しており、上層吸収体４１と平面視で略同じ縦横寸法を有し、上層吸収体４１の非肌当接面上に重ねて配されて、後述する凹部５の形成領域を除く、上層吸収体４１の非肌当接面の全面を被覆している。
下層吸収体４２の無荷重下における厚みは、好ましくは０．２〜１３ｍｍ、更に好ましくは０．８〜８ｍｍである。
下層吸収体４２の坪量は、好ましくは３０〜３５０ｇ／ｍ2、更に好ましくは５０〜２５０ｇ／ｍ2である。
【００１８】
下層吸収体４２は、吸水性ポリマーを含んでいる。下層吸収体４２を構成する吸水性ポリマーとしては、この種の吸収性物品において通常用いられているものを特に制限無く用いることができる。下層吸収体４２における吸水性ポリマーの分布量は、好ましくは１０〜３００ｇ／ｍ2、特に好ましくは５０〜２５０ｇ／ｍ2、更に好ましくは８０〜２００ｇ／ｍ2である。吸水性ポリマーは下層吸収体４２の全域に均一に分布していることが好ましい。
【００１９】
第１実施形態における下層吸収体４２は、相対向する２枚のシート材間に前記吸水性ポリマーが配置されて構成されている。下層吸収体４２を構成するシート材としては、親水性の不織布等を用いることができ、例えば、エアスルー不織布、エアレイド不織布、サクションヒートボンド不織布、スパンレース不織布、スパンボンド不織布、メルトブローン不織布、ケミカルボンド不織布等が挙げられる。
下層吸収体４２を構成する１枚のシート材の坪量は、好ましくは５〜５０ｇ／ｍ2、更に好ましくは１０〜３０ｇ／ｍ2である。
【００２０】
第１実施形態のおむつ１においては、図１及び図２に示すように、下層吸収体４２は存在しているが上層吸収体４１は実質的に存在しておらず且つ周辺部よりも厚み方向に凹んだ凹部５が、おむつ１を長手方向に二分する仮想中央線ＣＬよりも腹側部Ａ側における吸収構造体４の配置領域の肌当接面（表面シート２側）に、該仮想中央線ＣＬを跨いで形成されている。凹部５は、図３に示すように、男性器の陰茎Ｓ１及び陰嚢Ｓ２の両部分を収容可能な大きさを有している。第１実施形態における凹部５は、図１に示すように、平面視で楕円形形状を有し、その長軸方向をおむつ１の長手方向に一致させて該おむつ１の幅方向中央部に配されている。尚、「上層吸収体が実質的に存在していない」とは、凹部５における上層吸収体４１の存在量（坪量）が０ｇ／ｍ2の場合が最も好ましいが、それのみならず、凹部５に上層吸収体４１が、例えば製造工程上凹部５周囲に存在する上層吸収体由来の親水性繊維が凹部に入り込む等の要因によって少量（好ましくは５ｇ／ｍ2以下）存在している場合を含む意味である。
【００２１】
このように、男性器が収容される凹部５が、おむつ１の長手方向中央部（仮想中央線ＣＬ）より腹側部Ａ側に偏倚した部位に仮想中央線ＣＬを跨いで形成されていることにより、該凹部５によって男性器全体（陰茎Ｓ１及び陰嚢Ｓ２）をしっかりと保持することが可能となり、これにより、おむつ１の着用中に陰茎Ｓ１が該おむつ１の内部で自由に動いたり、排泄された液が着用者の肌を伝って外部に漏れ出しても防止できる
凹部５における仮想中央線ＣＬよりも背側部Ｂ側に位置している部位（図１中、斜線を付した部分）の長手方向に沿った長さＬ１は、好ましくは５〜８０ｍｍ、更に好ましくは１０〜５０ｍｍである。
【００２２】
また、男性器が収容される凹部５に、親水性繊維を主として含む上層吸収体４１が存在しておらず、且つ吸水性ポリマーを含む下層吸収体４２が存在していることにより、該凹部５においていわゆる液戻りが発生することが抑制されるため、排泄された尿等によって着用者の男性器がかぶれることが防止される。
【００２３】
凹部５の大きさは、着用者に圧迫感を与えずに男性器全体をしっかりと保持する観点から、長手方向に沿った最大長さＲ１（図１参照）が、好ましくは１５０〜２５０ｍｍ、更に好ましくは１８０〜２３０ｍｍであり、幅方向に沿った最大長さＲ２（図１参照）が、好ましくは５０〜２００ｍｍ、更に好ましくは１００〜１８０ｍｍである。
また、同様の観点から、凹部５の深さＤ１（図２参照）は、好ましくは０.２〜１０ｍｍ、更に好ましくは０.５〜８ｍｍである。
前記最大長さＲ１、Ｒ２及び深さＤ１は、何れも、おむつ１を図１に示す如く展開した状態（各弾性部材を伸長させておむつ１を面状に広げた状態）で測定される。
【００２４】
凹部５の周縁５ａの外側近傍には、伸長状態の弾性部材６が、該凹部５を包囲するように平面視で実質的に環を描いて配されており、該弾性部材６によって環６１が形成されている。
第１実施形態においては、図２に示すように、２本の弾性部材６，６が、裏面シート３と吸収構造体４との間に配され且つ伸長状態でホットメルト接着剤により接着されている。２本の弾性部材６，６は、おむつ１（吸収構造体４）の幅方向中央部の２箇所において交差して交点６Ｘ，６Ｙを形成している。これら２つの交点６Ｘ，６Ｙのうち、一方の交点６Ｘは、仮想中央線ＣＬよりも腹側部Ａ側に位置し、他方の交点６Ｙは、仮想中央線ＣＬよりも背側部Ｂ側に位置している。
【００２５】
このように、凹部５を包囲するように実質的に環状に配された伸長状態の弾性部材６が存在することにより、凹部５の開口が絞られて該凹部５内にポケット部が形成されるため、男性器が該ポケット部内においてより安定的に保持されるようになる。
また、弾性部材６が凹部５の周縁５ａの外側に配されているため、該弾性部材６が、凹部５に収容されている男性器と接触するおそれがなく、おむつ着用者に不快感を与えるおそれがない。
弾性部材６と周縁５ａとの間の間隔Ｐ１（図１参照）は、好ましくは５〜８０ｍｍ、更に好ましくは１５〜３５ｍｍである。この間隔Ｐ１は、凹部５の全周に亘って一定である必要は無い。
【００２６】
弾性部材６は、凹部５に収容される男性器と凹部５の外側の吸収構造体４との隙間を無くし、男性器と凹部５の周縁５ａの外側に位置する吸収構造体４とを密着させる観点から、伸長率が３０〜２００％、特に８０〜１５０％に伸長された状態で配されていることが好ましい。該伸長率は、下記測定方法により測定される。
【００２７】
＜弾性部材の伸長率の測定方法＞
測定対象の吸収性物品（おむつ）を、室温下、その非肌当接面側（裏面シート側）を上にして平坦な面上に自然状態で載置する。凹部５の周縁５ａにおける吸収性物品長手方向の一端側及び他端側それぞれに最も近接する２点（図１中、符号Ｐ，Ｑで示す）それぞれを通る、吸収性物品幅方向と平行な２本の仮想直線（図１中、符号Ｔ１，Ｔ２で示す）と、凹部５を包囲するように配されている弾性部材６との交点（図１中、符号Ｘ１，Ｘ２で示す）に印を付ける。自然状態の吸収性物品の交点Ｘ１から交点Ｘ２までの弾性部材６に沿った長さを測定し、これを自然状態の弾性部材の長さとする。
次いで、吸収性物品を図１に示す如く面状に広げ、弾性部材６を含む各種弾性部材が伸びきった状態で固定し、この状態で交点Ｘ１から交点Ｘ２までの弾性部材６に沿った長さを測定し、これを伸長状態の弾性部材の長さとする。
こうして求めた弾性部材６の自然状態及び伸長状態それぞれの弾性部材の長さから、下記式により、目的とする弾性部材の伸長率を算出する。
弾性部材の伸長率（％）＝〔｛（伸長状態の弾性部材の長さ）−（自然状態の弾性部材の長さ）｝／（自然状態の弾性部材の長さ）〕×１００
【００２８】
第１実施形態においては、弾性部材６が、該弾性部材６によって形成されている環６１における、仮想中央線ＣＬよりも背側部Ｂ側に位置する一点（交点６Ｙ）を起点として、平面視で吸収構造体４の腹側部Ａ側の長手方向端縁４ａに向かって凸となるように実質的に弧を描いて延びている。より具体的には、凹部５を包囲する環６１を形成している２本の弾性部材６，６は、仮想中央線ＣＬよりも背側部Ｂ側の幅方向中央部に位置する、これら２本の弾性部材の交点６Ｙを起点として、平面視で吸収構造体４の腹側部Ａ側の長手方向端縁４ａに向かって凸の弧（Ｕ字）６２を描いて延びている。第１実施形態における弧６２の両端部は、何れも吸収構造体４の背側部Ｂ側の長手方向端縁４ｂの近傍に達している。
このように、仮想中央線ＣＬよりも背側部Ｂ側における裏面シート３と吸収構造体４との間に、伸長状態の弾性部材６が、平面視で腹側部Ａ側に凸の弧状（Ｕ字状）に配されていることにより、おむつ１の着用中に、この弧６２に沿って吸収構造体４が表面シート２側に隆起し、これにより、該隆起部分に対応する肌当接面（表面シート２側）が弧状（Ｕ字状）に隆起して、この隆起した弧状部分の内側に肌当接面側に凹のポケット部（図示せず）が形成される。このポケット部は、着用者のそけい部に沿って形成されており、着用者が排泄した便を捕捉・保持することができるため、おむつ１全体として漏れ防止性がより一層向上する。
【００２９】
弾性部材６によって形成されている弧（Ｕ字）６２における吸収構造体４の長手方向に沿った最大長さをＬ２（図１参照）、吸収構造体４の長手方向に沿った最大長さをＬ３とした場合、Ｌ２とＬ３との比（Ｌ２／Ｌ３）は、好ましくは０.１４〜０.３８、更に好ましくは０.２１〜０.３２である。
また、弧（Ｕ字）６２における吸収構造体４の幅方向に沿った最大長さをＬ４（図１参照）、吸収構造体４の幅方向に沿った最大長さをＬ５とした場合、Ｌ４とＬ５との比（Ｌ４／Ｌ５）は、好ましくは０.６３〜０.７７、更に好ましくは０.５７〜０.６６である。
【００３０】
第１実施形態のおむつ１について更に説明する。
おむつ１の長手方向左右両側部それぞれには、１本又は複数本のレッグ弾性部材７（本実施形態では２本）が略直線状に伸長状態で配されている。レッグ弾性部材７は、吸収構造体４の幅方向外方において、表面シート２と裏面シート３との間に挟持固定されており、これによってレッグギャザーが形成されている。レッグ弾性部材７は、糸状の形態を有し、おむつ１の長手方向に沿って、腹側部Ａと背側部Ｂとの間に亘って配設されている。
【００３１】
背側部Ｂの長手方向左右両側縁部には二対のファスニングテープ８が設けられている。より具体的には、背側部Ａの長手方向左右両側部それぞれには、吸収構造体４の幅方向端縁部から幅方向外方に延出するサイドフラップ９が形成されており、各サイドフラップ９に、ファスニングテープ８が幅方向外方に延出して取り付けられている。ファスニングテープ８には、メカニカルファスナーのフック部材（図示せず）が取り付けられている。このフック部材としては当該技術分野において公知のものを特に制限なく用いることができる。尚、腹側部Ａの長手方向左右両側部にも、それぞれ幅方向外方に延出するサイドフラップ９が形成されている。
また、腹側部Ａの非肌当接面上には、おむつの長手方向端縁に沿って、ファスニングテープ８止着用のランディングテープ（図示せず）が貼付されており、ファスニングテープ８に取り付けられた前記フック部材と係合可能になしてある。
【００３２】
第１実施形態のおむつ１における各部の形成材料について説明すると、表面シート２、裏面シート３、弾性部材６としては、それぞれ、従来のこの種の吸収性物品において用いられているものを特に制限なく用いることができる。表面シート２としては、例えば不織布や開孔フィルム等の各種液透過性のシート材を用いることができる。裏面シート３としては、例えば透湿性を有しない樹脂フィルムや、微細孔を有し透湿性を有する樹脂フィルム、撥水不織布等の不織布、あるいはこれらを適宜貼り合わせてなる複合シート等を用いることができる。弾性部材６、７の構成材料としては、例えばポリオレフィン類、ポリウレタン類及びこれらの共重合体、又は天然ゴム等からなる弾性材料等を用いることができる。
【００３３】
第１実施形態のおむつ１は、この種の展開型の使い捨ておむつと同様に使用することができる。
第１実施形態のおむつ１は、凹部５が、上述したように仮想中央線ＣＬとの関係で適切な位置に形成され且つ男性器全体を収容可能な大きさを有しているため、図３に示すように、該凹部５内で男性器全体（陰茎Ｓ１及び陰嚢Ｓ２）をしっかりと保持することができる。このため、第１実施形態のおむつ１においては、着用中に陰茎Ｓ１を凹部５内にとどめておくことができ、尿の排泄位置が常に表面シート２と接しているため、排泄された尿を吸収構造体４でしっかりと吸収することができ、尿が着用者の肌を伝って外部に漏れ出す等の不都合を防止できる。
また、第１実施形態のおむつ１においては、凹部５にパルプのような親水性繊維を主として含む上層吸収体４１が実質的に存在しておらず、しかも吸水性ポリマーを含む下層吸収体４２が存在するため、例えば特許文献１に記載のおむつのように、男性器が収容される凹部に吸液性コアが存在している場合に比して、該凹部５にいわゆる液戻りが発生するおそれが少なく、液戻りに起因する男性器の肌のかぶれを起こし難い。
また、上述したように、凹部５を包囲する弾性部材６が背側部Ｂ側にも平面視でＵ字状に伸長状態で配されていることにより、おむつ１の着用中において、肌当接面（表面シート２側）におけるこのＵ字の内側に、排泄された便を捕捉・保持し得る、該肌当接面側に凹のポケット部が形成されるため、おむつ１は、尿のみならず、便にも対応することができる。
【００３４】
次に、本発明の他の実施形態について説明する。以下の実施形態については、上述した第１実施形態の使い捨ておむつと異なる構成部分を主として説明し、同様の構成部分は同一の符号を付して説明を省略する。特に説明しない構成部分は、第１実施形態の使い捨ておむつについての説明が適宜適用される。
【００３５】
図４には、本発明の第２実施形態の使い捨ておむつが示されている。第２実施形態の使い捨ておむつ１は、凹部５に加えて、第２の凹部１０を有している。即ち、第２実施形態の使い捨ておむつ１においては、上層吸収体４１が実質的に存在しておらず且つ周辺部よりも厚み方向に凹んだ第２の凹部１０が、仮想中央線ＣＬより背側部Ｂ側における吸収構造体４の配置領域の肌当接面（表面シート２側）で、弾性部材６によって形成されている弧６２の内側近傍に形成されている。
また、第２実施形態における弧６２の両端部は、何れも股下部Ｃ内あるいは股下部Ｃと背側部Ｂとの境界近傍に位置しており、第１実施形態における弧６２のように、吸収構造体４の背側部Ｂ側の長手方向端縁４ｂの近傍には達していない。
【００３６】
第２の凹部１０は、主として、着用者が排泄した便を捕捉・保持するポケット部として機能するもので、図４に示すように、平面視で楕円形形状を有し、その長軸方向をおむつ１の長手方向に一致させて該おむつ１の幅方向中央部に配されている。第２の凹部１０には、凹部５と同様に、上層吸収体４１が配されていない代わりに、下層吸収体４２が配されている
弾性部材６と第２の凹部１０の周縁１０ａとの間の間隔Ｐ２は、好ましくは０〜８０ｍｍ、更に好ましくは１５〜３５ｍｍである。この間隔Ｐ２は一定である必要は無い。
【００３７】
第２の凹部１０の大きさは、着用者が排泄した便を補足・保持するポケット部として凹部１０が充分に機能するようにさせる観点から、おむつ１（吸収構造体４）の長手方向に沿った最大長さＲ３が、好ましくは１００〜２３０ｍｍ、更に好ましくは１３０〜２００ｍｍであり、おむつ１（吸収構造体４）の幅方向に沿った最大長さＲ４が、好ましくは１００〜２２０ｍｍ、更に好ましくは１３０〜１８０ｍｍである。
また、同様の観点から、第２の凹部１０の深さＤ２（図示せず）は、好ましくは０.２〜１０ｍｍ、更に好ましくは０.５〜８ｍｍである。
前記最大長さＲ３、Ｒ４及び深さＤ２は、何れも、おむつ１を図１に示す如く展開した状態（各弾性部材を伸長させておむつ１を面状に広げた状態）で測定される。
第２実施形態のおむつ１は、第１実施形態と同様に使用することができ、第１実施形態と同様の効果を奏する。特に、第２実施形態のおむつ１は、第２の凹部１０が形成されているため、便の漏れ防止性に優れている。
【００３８】
以上、本発明をその好ましい実施形態に基づき説明したが、本発明は前記実施形態に制限されない。
例えば、凹部５及び第２の凹部１０には、上層吸収体４１のみならず、下層吸収体４２も実質的に存在していなくても良い。凹部５，１０において、上層吸収体４１及び下層吸収体４２が存在していなくても、凹部５，１０の周囲に位置する下層吸収体４２により、実用上充分な吸収性能を維持することが可能である。尚、ここでいう「下層吸収体が実質的に存在していない」とは、上述した上層吸収体についての「実質的に存在していない」と同じ意味である。
また、下層吸収体４２は、上述した、相対向する２枚のシート材間に吸水性ポリマーが配置された構成に限定されず、吸水性ポリマーのみから構成されていても良い。
【００３９】
また、凹部５及び第２の凹部１０の平面視における形状は、図１及び図４に示す如き縦長の楕円形形状に限定されず、円形形状、扇形形状、多角形形状、半円形状等でも良い。また、凹部５と第２の凹部１０とは、同形状で同寸法でも良く、形状及び／又は寸法が異なっていても良い。
また、おむつ１は、その長手方向左右両側部それぞれの肌当接面側（表面シート２側）に、着用時に着用者の肌に向かって起立する立体ガードを具備していても良い。
また、前記実施形態では、本発明の吸収性物品の適用例の一つとしていわゆる展開型の使い捨ておむつを挙げたが、予めパンツ型に成形されたパンツ型の使い捨ておむつの他、尿とりパッド（失禁パッド）等にも適用することができる。
前述した一の実施形態のみが有する部分は、すべて適宜相互に利用できる。
【図面の簡単な説明】
【００４０】
【図１】図１は、本発明の吸収性物品の一実施形態としての展開型の使い捨ておむつの展開状態の肌当接面側（表面シート側）を示す平面図である。
【図２】図２は、図１の符号ＣＬで示す仮想中央線における断面を模式的に示す横断面図である。
【図３】図３は、図１に示す使い捨ておむつの着用状態において、図１のＩ−Ｉ線断面を模式的に示す縦断面図である。
【図４】図４は、本発明の吸収性物品の他の実施形態としての展開型の使い捨ておむつを示す図１相当図である。
【符号の説明】
【００４１】
１  使い捨ておむつ（吸収性物品）
２  表面シート
３  裏面シート
４  吸収構造体
４１  上層吸収体
４２  下層吸収体
４ａ  吸収体の腹側部側の長手方向端縁
４ｂ  吸収体の背側部側の長手方向端縁
５  凹部
５ａ  凹部の周縁
６  弾性部材
７  レッグ弾性部材
８  ファスニングテープ
９  サイドフラップ
１０  第２の凹部
１０ａ  第２の凹部の周縁
６１  弾性部材によって形成されている環
６２  弾性部材によって形成されている弧（Ｕ字）
Ａ  腹側部
Ｂ  背側部
Ｃ  股下部
【図１】
0005064982.tif 000002
【図２】
0005064982.tif 000003
【図３】
0005064982.tif 000004
【図４】
0005064982.tif 000005